(57)【要約】【課題】ノック操作部が沈み込むことがなく、デザイン上の制約を受けず、高級感を有するボールペンを提供する。【解決手段】本体軸１に設けたスライド孔５における軸方向の内壁面６に、軸方向に係合溝７を設けるとともに、ノック操作部４に、前記係合溝７に係止する係止片４ｃを設けて、ノック操作部をスライド孔５に係合させ、かつノック操作部４と、ボールペン芯３の頭部に連結されたノック杆８とを、ばねをもってノック杆８を本体軸１の軸心に向けて付勢させた状態で係止させる。【選択図】  図５
2009113427.tif 000002
【特許請求の範囲】
【請求項１】
本体軸の周側面にボールペン芯の出没を操作するノック操作部を備えるボールペンにおいて、
本体軸の周側面に、ノック操作部をスライドさせるスライド孔を軸方向に設けるとともに、ノック操作部が操作時に本体軸の軸心に向けて径方向に沈み込まないようにして、ノック操作部を前記スライド孔に係合させ、かつノック操作部と、ボールペン芯の頭部に連結されたノック杆とを、ばねをもってノック杆を本体軸の軸心に向けて付勢させた状態で係止させたことを特徴とするボールペン。
【請求項２】
ノック操作部が操作時に本体軸の軸心に向けて径方向に沈み込まないようにして、ノック操作部をスライド孔に係合させる手段として、本体軸に設けたスライド孔における軸方向の内壁面に、軸方向に係合溝を設けるとともに、ノック操作部に、前記係合溝に係止する係止片を設けて、ノック操作部をスライド孔に係合させた請求項１記載のボールペン。
【請求項３】
ノック操作部が操作時に本体軸に軸心に向けて径方向に沈み込まないようにして、ノック操作部をスライド孔に係合させる手段として、ノック操作部の頭部を、前記スライド孔における長さ方向と直行する横幅よりも、幅広に形成して、ノック操作部をスライド孔に係合させた請求項１または２記載のボールペン。
【請求項４】
ノック操作部と、ノック杆とをばねをもってノック杆を本体軸の軸心に向けて付勢させた状態で係止する手段として、ノック杆に本体軸の径方向に係合孔を設けるとともに、ノック操作部に係止ピンを設けて、この係止ピンに圧縮ばねを装着させ、かつ前記係止ピンの前端部を前記係止孔に遊嵌状態で係止させた請求項１〜３のいずれかに記載のボールペン。
【請求項５】
圧縮ばねを、圧縮スプリングまたは圧縮板ばねとした請求項４記載のボールペン。
【発明の詳細な説明】
【技術分野】
【０００１】
本発明は、本体軸の周側面に、ボールペン芯の出没を操作するためのノック操作部を備えるボールペンに関する。
【背景技術】
【０００２】
ボールペン芯の出没を操作する方式として、ノック操作部を本体軸の頭部に備えるものと、周側面に備えるものとがある（たとえば、特許文献１）。
前者は単色ボールペン、後者は多色ボールペンに多用されている。
【０００３】
しかし、ノック操作部を本体軸の周側面に備えるものは、操作時に、ノック操作部が本体軸の軸心に向けて径方向に沈み込むという問題を有している。
図９は、ノック操作部を本体軸の周側面に備える従来の２色ボールペンの要部縦断面図である。
【０００４】
一方のボールペン芯０１を芯出しして使用状態とするために、ノック操作部０２を操作すると、前記ボールペン芯０１の頭部に連結されたノック杆０３が、本体軸０４の軸心に向けて径方向に沈み、これと同時に、前記ノック杆０３に連結されているノック操作部０２が本体軸０４の軸心に向けて径方向に幅Ｌだけ沈み込む。
【０００５】
この沈み込みが大きいと、ノック操作部０２が本体軸０４に設けられたスライド孔０５内に埋没して、ボールペン芯０１の芯出しが不可能となる。
このため、ノック操作部０２が沈み込んでも、スライド孔０５内に埋没しないようにノック操作部０２の本体軸０４の周側面０６からの突出幅を大きくする必要があり、デザイン上の制約となっている。
【０００６】
このようにノック操作部０２を本体軸０４の周側面０６に備える従来のボールペンは、ノック操作部０２が本体軸０４内に沈み込むという問題があるため、デザイン上の制約とともに、やや高級感に欠け、主として低価格の製品に使用されているのが現状である。
【特許文献１】特許第３３８４１８７号公報
【発明の開示】
【発明が解決しようとする課題】
【０００７】
本発明は、前記の現状に鑑み、ノック操作部が沈み込むことがなく、デザイン上の制約を受けず、高級感を有するボールペンを提供することを目的とする。
【課題を解決するための手段】
【０００８】
本発明によると、上記課題は、特許請求の範囲における各請求項に示すように、下記の構成を備える発明によって解決される。
（１）  本体軸の周側面にボールペン芯の出没を操作するノック操作部を備えるボールペンにおいて、本体軸の周側面に、ノック操作部をスライドさせるスライド孔を軸方向に設けるとともに、ノック操作部が操作時に本体軸の軸心に向けて径方向に沈み込まないようにして、ノック操作部を前記スライド孔に係合させ、かつノック操作部と、ボールペン芯の頭部に連結されたノック杆とを、ばねをもってノック杆を本体軸の軸心に向けて付勢させた状態で係止させたボールペンとする。
【０００９】
（２）  上記（１）項において、ノック操作部が操作時に本体軸の軸心に向けて径方向に沈み込まないようにして、ノック操作部をスライド孔に係合させる手段として、本体軸に設けたスライド孔における軸方向の内壁面に、軸方向に係合溝を設けるとともに、ノック操作部に、前記係合溝に係止する係止片を設けて、ノック操作部をスライド孔に係合させる。
【００１０】
（３）  上記（１）項または（２）項において、ノック操作部が操作時に本体軸に軸心に向けて径方向に沈み込まないようにして、ノック操作部をスライド孔に係合させる手段として、ノック操作部の頭部を、前記スライド孔における長さ方向と直行する横幅よりも、幅広に形成して、ノック操作部をスライド孔に係合する。
【００１１】
（４）  上記（１）〜（３）項のいずれかにおいて、ノック操作部と、ノック杆とをばねをもってノック杆を本体軸の軸心に向けて付勢させた状態で係止する手段として、ノック杆に本体軸の径方向に係合孔を設けるとともに、ノック操作部に係止ピンを設けて、この係止ピンに圧縮ばねを装着させ、かつ前記係止ピンの前端部を前記係止孔に遊嵌状態で係止させる。
【００１２】
（５）  上記（４）項において、圧縮ばねを、圧縮スプリングまたは圧縮板ばねとする。
【発明の効果】
【００１３】
本発明によると、次のような効果が奏せられる。
請求項１記載の発明によれば、ノック操作部が沈み込むことがなく、デザイン上の制約を受けず、高級感を有するボールペンを得ることができる。
このため、たとえばノック操作部のうち、本体軸の周側面から外方へ突出する部分を最小限にした所謂フラットノック構造を容易に形成することができる。
また、ノック操作部と、ボールペン芯の頭部に連結されたノック杆とを、ばねをもってノック杆を本体軸の軸心に向けて付勢させた状態で係止させてあるため、ボールペン芯が出没のいずれの状態にあるかを問わず、ノック操作部とノック杆との間の不安定ながたつきを最小限におさえることができる。
【００１４】
請求項２記載の発明によれば、ノック操作部における係止片が、係合溝に係止することにより、ノック操作部の沈み込みが確実に防止される。
【００１５】
請求項３記載の発明によれば、請求項２記載の発明に準じた効果が奏せられる。
【００１６】
請求項４記載の発明によれば、ノック操作部の係止ピンの前端部を、ノック杆の係合孔に遊嵌状態で係止させてあるため、ノック杆が本体軸の軸心に向けて沈んでも、その影響をノック操作部が受けることなく、円滑にノック操作部を操作することができる。
また、圧縮ばねを係止ピンに装着してあるため、圧縮ばねの位置安定性も良好である。
【００１７】
請求項５記載の発明によれば、圧縮スプリングの場合は、その軸心空洞部内に係止ピンを挿入し、圧縮板ばねの場合は、板ばねに切り込みまたは通孔を設けて、この切り込みまたは通孔内に係止ピンを挿入することにより、容易にこれらの圧縮ばねを係止ピンに装着させることができる。
【発明を実施するための最良の形態】
【００１８】
以下、本発明を、図面に基づいて説明する。
図１は、本発明を実施した２色ボールペンを中間部を省略して示す正面図、図２は、図１に示すボールペンの芯出しをした状態を示す正面図、図３は、図１に示すボールペンの要部拡大縦断面図、図４は、図３におけるIV〜IV線断面図、図５は、図２に示すボールペンの要部拡大縦断面図である。
【００１９】
本実施例においては、図４に示すように、本体軸１の断面が偏平な四角形を有するコンパクトな２色ボールペンを例にとり説明する。
【００２０】
本体軸１の周側面２における左右部分に、ボールペン芯３の出没を操作するノック操作部４が設けられている。
【００２１】
図３、図４に示すように、ノック操作部４は、本体軸１の周側面２に設けられたスライド孔５に係合されている。
【００２２】
スライド孔５は、本体軸１の軸方向にスリット状に設けられている。スライド孔５における軸方向の内壁面６には、軸方向に係合溝７が設けられている。
【００２３】
ノック操作部４は、図３において、右側に位置するノック操作部４についてみれば、図３における右方視において、スライド孔５における長さ方向と直行する横幅Ｌ１（図４参照）よりも幅広な四辺形状の頭部４ａと、この頭部４ａの後面に連設された、スリット孔５の幅Ｌ１よりもやや幅狭な頸部４ｂと、この頸部４ｂの後端部において、スライド孔５の幅方向に延設された係止片４ｃ、４ｃと頸部４ｂの後面に、連設された係止ピン４ｄとよりなる。
【００２４】
ボールペン芯３の頭部には、ノック杆８が連結され、このノック杆８には、本体軸１の径方向に係合孔９が設けられている。
【００２５】
一方、本体軸１にはキャップ１０が被冠されており、このキャップ１０を取り外すと、本体軸１に設けられたスライド孔５の上端が露出するようになっている。キャップ１０は、係止部１０ａにより、本体軸１に係止される。
なお、図３〜図５において、ノック操作部４は、断面することなく図示してある。
【００２６】
ノック操作部４を本体軸１のスライド孔５に係合させるには、次の手順による。
【００２７】
まず、本体軸１に被冠されているキャップ１０を取り外す。次いで、ノック操作部４の係止ピン４ｄに、スプリング１１を装着し、このスプリング１１を圧縮させ乍ら、係止ピン４ｄの前端部を、ノック杆８の係合孔９に遊嵌状態で係止させる。なお、係止ピン４ｄに、スプリング１１を装着させるには、スプリング１１の軸心空洞部内に係止ピン４ｄを挿入すればよい。
【００２８】
次に、ノック操作部４の係止片４ｃを、スライド孔５の係合溝７に係止させて、ノック操作部４をスライド孔５に係合させる。
【００２９】
次に、キャップ１０を、本体軸１に被冠する。
このようにすることにより、圧縮スプリング１１によって、ノック杆８が本体軸１の軸心に向けて付勢された状態で、ノック操作部４が、スライド孔５にスライド自在に係合される。
【００３０】
ノック操作部４を操作してボールペン芯３を芯出しすると、図５に示す状態となり、ノック杆８は、本体軸１の軸心に向けて沈むが、ノック操作部４は、係止片４ｃが係合溝７に係止されているとともに、頭部４ａがスライド孔５よりも幅広に形成されているため、本体軸１の軸心に向けて径方向に沈み込むことはない。
【００３１】
図５に示す状態において、芯出しされたボールペン芯３に連結されているノック杆８は、芯出しされていない他方側のノック杆と、圧縮スプリング１１の付勢力により、両ノック杆の係止突起１２ａ、１２ｂが安定的に係止された状態となる。
【００３２】
図６〜図８は、第２実施例を示す図面であり、図６、図８は、それぞれ第１実施例の図３、図５に対応する図である。
【００３３】
図７は、図６におけるVII〜VII線断面図である。
【００３４】
第２実施例は、第１実施例における圧縮スプリング１１に代えて、圧縮板ばね１３を使用した以外は、総て第１実施例と同じである。
【００３５】
圧縮板ばね１３には、切り込みまたは通孔を設けて、この切り込みまたは通孔内にノック操作部の係止ピンを挿入することにより、容易に圧縮板ばねを係止ピンに装着することができる。
なお、図６〜図８において、第１実施例と同一部材については、同一の符号を付してある。
【図面の簡単な説明】
【００３６】
【図１】本発明を実施した２色ボールペンを中間部を省略して示す正面図である。
【図２】図１に示すボールペンの芯出しをした状態を示す正面図である。
【図３】図１に示すボールペンの要部拡大縦断面図である。
【図４】図３におけるIV〜IV線断面図である。
【図５】図２に示すボールペンの要部拡大縦断面図である。
【図６】第２実施例を示し、第１実施例の図３に対応する図である。
【図７】図６におけるVII〜VII線断面図である。
【図８】第２実施例を示し、第１実施例の図５に対応する図である。
【図９】従来の２色ボールペンの要部縦断面図である。
【符号の説明】
【００３７】
１      本体軸
２      周側面
３      ボールペン芯
４      ノック操作部
４ａ    頭部
４ｂ    頸部
４ｃ    係止片
４ｄ    係止ピン
５      スライド孔
６      内壁面
７      係合溝
８      ノック杆
９      係合孔
１０    キャップ
１０ａ  係止部
１１    圧縮スプリング
１２ａ、１２ｂ  係止突起
１３    圧縮板ばね
０１    ボールペン芯
０２    ノック操作部
０３    ノック杆
０４    本体軸
０５    スライド孔
０６    周側面
【図１】
2009113427.tif 000003
【図２】
2009113427.tif 000004
【図３】
2009113427.tif 000005
【図４】
2009113427.tif 000006
【図５】
2009113427.tif 000007
【図６】
2009113427.tif 000008
【図７】
2009113427.tif 000009
【図８】
2009113427.tif 000010
【図９】
2009113427.tif 000011